(57)【要約】ヘッドライトが、物理的接触なしで光源をオン・オフすることを可能にする赤外線センサーを組み込む。システムは、光源と、光源を眼鏡フレーム又はヘッドバンドに結合するための機構とを含む。電源及び制御ユニットが、光源から離れて配置され、電気ケーブルを介して光源に相互接続される。赤外線（ＩＲ）モーションセンサーが電源及び制御ユニットに相互接続され、電源及び制御ユニット内の電気回路がセンサーによる手又は他の身体部分の検出に応じて光源をオン・オフするように動作する。好ましい実施形態では、光源は発光ダイオード（ＬＥＤ）を含み、ＩＲ検出器は受動型ＩＲ焦電センサーである。ＩＲセンサーは、衣服、眼鏡フレーム、ヘッドバンド、又は光源自体に取り付けることができる。
2016527673.tif 000002
【特許請求の範囲】
【請求項１】
モーション起動ヘッドランプであって、
光源と、
前記光源を眼鏡フレーム又はヘッドバンドに結合するための機構と、
前記光源から離れて配置され、且つ電気ケーブルを介して前記光源に相互接続されている電源及び制御ユニットと、
前記電源及び制御ユニットに相互接続されている赤外線（ＩＲ）モーションセンサーと、
前記センサーによる手又は他の身体部分の検出に応じて前記光源をオン・オフする前記電源及び制御ユニット内の電気回路と
を備える、モーション起動ヘッドランプ。
【請求項２】
前記光源は発光ダイオード（ＬＥＤ）を含む、請求項１に記載のモーション起動ヘッドランプ。
【請求項３】
受動型又は能動型ＩＲセンサーを含む、請求項１に記載のモーション起動ヘッドランプ。
【請求項４】
前記ＩＲセンサーを衣服に取り付けるための機構を含む、請求項１に記載のモーション起動ヘッドランプ。
【請求項５】
前記ＩＲセンサーを前記眼鏡フレーム、前記ヘッドバンド、又は前記光源に取り付けるための機構を含む、請求項１に記載のモーション起動ヘッドランプ。
【請求項６】
前記光源と前記ＩＲセンサーは別々のケーブルを介して電気連結器に相互接続し、
結合ケーブルが単一の結合ケーブルを介して前記光源及び前記ＩＲセンサーを前記電源及び制御ユニットに相互接続する、請求項１に記載のモーション起動ヘッドランプ。
【発明の詳細な説明】
【技術分野】
【０００１】
本発明は、一般に、外科医、医師及び歯科医師によって使用されるタイプのヘッドライトに、特にモーション起動ヘッドランプに関する。
【背景技術】
【０００２】
外科医及び医師／歯科医師は、視覚を向上させるためにヘッドライトを着用するのが一般的である。発光ダイオードと光ファイバーを用いた典型的なヘッドライトは、ｈｔｔｐ：／／ｓｕｒｇｉｔｅｌ．ｃｏｍ／ｈｅａｄｌｉｇｈｔｓで見ることができる。
【０００３】
このようなシステムでは、ヘッドライトは光源とビーム形成光学系とを含む。電源は離れて配置され、例えばベルトに装着することができる。
【発明の概要】
【発明が解決しようとする課題】
【０００４】
既存のシステムの問題点の１つは、処置中に光源をオン・オフすると医師の手が汚れることがあるように、制御ユニットが滅菌されない場合があることである。
【課題を解決するための手段】
【０００５】
本発明は、物理的接触なしで光源がオン・オフされることを可能にする赤外線センサーを備えたヘッドライトを対象にする。システムは、光源と、光源を眼鏡フレーム又はヘッドバンドに結合するための機構とを含む。電源及び制御ユニットが、光源から離れて配置され、電気ケーブルを介して光源に相互接続される。赤外線（ＩＲ）モーションセンサーが電源及び制御ユニットに相互接続され、電源及び制御ユニット内の電気回路がセンサーによる手又は他の身体部分の検出に応じて光源をオン・オフするように動作する。
【０００６】
好適な実施形態では、光源は発光ダイオード（ＬＥＤ）を含み、ＩＲ検出器は受動型又は能動型ＩＲセンサーである。ＩＲセンサーを衣服に、ＩＲセンサーを眼鏡フレーム、ヘッドバンド、又は光源に取り付けるために機構を設けることができる。光源及びＩＲセンサーは別々のケーブルを介して電気連結器に相互接続することができ、単一の結合ケーブルを介して光源及びＩＲセンサーを電源及び制御ユニットに相互接続するために結合ケーブルが使用される。
【図面の簡単な説明】
【０００７】
【図１】眼鏡フレームに装着されたヘッドライトを使用する本発明の実施形態の図である。
【図２】ヘッドバンドに装着されたヘッドライトを使用する本発明の実施形態の図である。
【図３】ケーブル、発光体、及びセンサーを示す本発明のブロック図である。
【発明を実施するための形態】
【０００８】
本発明は、物理的接触なしで光源がオン・オフされることを可能にする赤外線センサーを備えたヘッドライトを対象にする。このため、本発明は、手の接触によって滅菌野が損なわれる可能性がある外科、医療及び歯科用途に理想的に適している。好ましい実施形態では、光源は１つ以上の発光ダイオード（ＬＥＤ）を含むが、本発明は使用する光源に関して限定されない。
【０００９】
図１は、眼鏡フレーム１０４に装着されたＬＥＤヘッドライト１０２を使用する本発明の実施形態の図である。すべての実施形態において、光源は、恒久的に接続するか又はクリップで留める構造によって一時的に結合することができる。光源１０２と共に、ルーペ１０６、跳ね上げ式又はスルーザレンズ（ＴＴＬ）タイプを設けることができる。
【００１０】
光源１０２は、所望のビームパターン１０８を生じさせるためにビーム形成及び／又は集束光学系（図示せず）を含む。ＬＥＤはケーブル１１０を介して電力を供給され、ケーブル１１０は最終的に、ベルトに装着され得る遠隔の電源及び制御装置１２２に結合ケーブル１２０を介して接続される。システムはまた、結合ケーブル１２０を介して電源及び制御装置１２２に結合された赤外線（ＩＲ）センサーモジュール１１６を含む。
【００１１】
光源１０２及びＩＲセンサーはユニット１２２に直接接続することができるが、好ましい実施形態では、光源からのケーブル１１０は電気コネクター１１２を介して結合ユニット１１４に接続し、センサーからのケーブル１１８は電気コネクター１１９を介して結合ユニット１１４に接続し、ケーブル１１０、１１８のいずれか又は両方の接続を切ることを可能にする。電源及び制御ユニット１２２は、図３のブロック図に示される切替装置への接続を経由して補充される充電式電池を含む。ＩＲセンサーを用いたオン・オフ制御の前に所望の明るさのレベルを達成するために、手動操作ノブ１２４を設けることができる。
【００１２】
ＩＲセンサー１１６は、好ましくは、様々な供給業者から入手可能な小型の受動型ＩＲセンサーである。例えば、ＫＣ７７８３のＰＩＲセンサーモジュールは、人間の身体部分の検出のために開発された焦電センサーモジュールである。フレネルレンズと組み合わせたＰＩＲ検出器が、遠隔ユニット１２２に配置されたマイクロコントローラー又は論理デバイスに直接接続することができる、ＴＴＬ出力を提供するアナログＩＣ（ＫＣ７７８Ｂ）と共に、小型のプリント回路基板上に実装されている。この場合も、このＰＩＲセンサーは、本発明に適用可能な多くのものの１つである。
【００１３】
ＩＲセンサーは、好ましい実施形態では、ヘッドマスク又は他の衣服にクリップ留めするか、眼鏡フレーム、光源自体、又は図２に示すタイプのヘッドバンド２０２に装着される、頭部装着型であるが、任意の便利な場所に装着することができる。センサーは、好ましくは、明るい／暖かい光、他の人などによる誤作動を起こす可能性が最も低い方向に向けられる。
【００１４】
動作中、ユーザーがセンサー１１６の近傍で手を振り、それにより光源１０２を物理的接触なしでオン・オフさせる。好ましい実施形態では、センサーの検出距離は、適切な動作を更に良くするために約５から１０ｃｍのオーダーになるように調整される。この起動距離、並びに視野は、電気部品の選択及び／又はセンサーレンズ光学系、材料、透光性などによって調整することができる。
【００１５】
図３を参照すると、電源及び制御ユニット１２２内の電気回路３０４は、それぞれの手／身体部分の検出で光源オン／オフを簡単に切り替えるように設計することができる。言い換えれば、光源がオンである場合、ユーザーは彼らの手を振ってそれをオフにし、逆の場合も同じである。また、光源が誤ってオン又はオフになっている場合、手を１振りすることで、光源を正しい起動にリセットする。
【図１】
2016527673.tif 000003
【図２】
2016527673.tif 000004
【図３】
2016527673.tif 000005
【国際調査報告】
2016527673.tif 000006
2016527673.tif 000007